(57)【要約】【課題】撮像及びデータ記録の機能を同時に兼備し、接続ポートの使用個数を減少させるとともに、撮像装置及びデータ記録装置のそれぞれを購入する不便が避けられる撮像機能を有するデータ記録装置を提供する。【解決手段】一端が第一の電気コネクタを有する装置本体１と、前記装置本体１に設置された撮像ユニット５と、前記装置本体１に設置された記録ユニット６とを、含む撮像機能を有するデータ記録装置を提供する。撮像及びデータ記録の組み合わせ機能を同時に兼備し、単一の接続ポートで二つの機能を同時に果すことができる。これにより、数が限られた接続ポートを効率的に使用でき、撮像装置及びデータ記録装置をそれぞれ購入しなければならない不便が避けられ、さらに効率的にコストをより削減し且つ収納空間を節約できる。【選択図】図１
0003131267.tif 000002
【実用新案登録請求の範囲】
【請求項１】
固定ベース、可動ベース、及び回動接続部材を含み、前記固定ベースの一端が第一の電気コネクタを有し、前記回動接続部材が前記固定ベースと前記可動ベースとの間に接続された装置本体と、
前記可動ベースに接続された撮像ユニットと、
前記装置本体に設置された記録ユニットとを、含む撮像機能を有するデータ記録装置。
【請求項２】
前記可動ベースが第一の可動部材及び第二の可動部材を有し、第一の可動部材の一端には第二の電気コネクタが設けられ、第二の可動部材の一端には第三の電気コネクタが設けられ、第一の可動部材の第二の電気コネクタが、第二の可動部材の第三の電気コネクタに挿着されたことを特徴とする請求項１に記載の撮像機能を有するデータ記録装置。
【請求項３】
前記第一の電気コネクタ、第二の電気コネクタおよび第三の電気コネクタが、ＵＳＢインターフェースまたはＩＥＥＥ１３９４インターフェースであることを特徴とする請求項２に記載の撮像機能を有するデータ記録装置。
【請求項４】
前記撮像ユニットが、前記第一の可動部材に内蔵されたことを特徴とする請求項２に記載の撮像機能を有するデータ記録装置。
【請求項５】
前記回動接続部材が、ユニバーサルジョイントであることを特徴とする請求項１に記載の撮像機能を有するデータ記録装置。
【請求項６】
前記回動接続部材が、第一の枢着部材、第二の枢着部材および回動軸を有し、前記回動軸の両端が、それぞれ第一の枢着部材および第二の枢着部材に枢着されたことを特徴とする請求項１に記載の撮像機能を有するデータ記録装置。
【請求項７】
前記固定ベースの他端には第一の接続部を有し、前記回動接続部材の第一の枢着部材が、前記固定ベースの第一の接続部に枢着されたことを特徴とする請求項６に記載の撮像機能を有するデータ記録装置。
【請求項８】
前記可動ベースの一端には第二の接続部を有し、前記回動接続部材の第二の枢着部材が、前記可動ベースの第二の接続部に枢着されたことを特徴とする請求項６に記載の撮像機能を有するデータ記録装置。
【請求項９】
前記第一の電気コネクタが接続装置に電気的に接続されたことを特徴とする請求項１に記載の撮像機能を有するデータ記録装置。
【請求項１０】
前記記録ユニットが、前記固定ベースまたは可動ベースに内蔵されたことを特徴とする請求項１に記載の撮像機能を有するデータ記録装置。
【請求項１１】
一端が第一の電気コネクタを有する装置本体と、
前記装置本体に設置された撮像ユニットと、
前記装置本体に設置された記録ユニットとを、含む撮像機能を有するデータ記録装置。
【請求項１２】
前記第一の電気コネクタが、ＵＳＢインターフェースまたはＩＥＥＥ１３９４インターフェースであることを特徴とする請求項１１に記載の撮像機能を有するデータ記録装置。
【請求項１３】
前記第一の電気コネクタが接続装置に電気的に接続されたことを特徴とする請求項１１に記載の撮像機能を有するデータ記録装置。
【考案の詳細な説明】
【技術分野】
【０００１】
本考案は、撮像機能を有するデータ記録装置に係わり、特に、撮像ユニットをデータ記録装置上に設けたものに関する。
【背景技術】
【０００２】
現在、３Ｃ製品（パソコン、通信及び消費型電子製品）の競争が激烈で、研究開発技術の向上に伴い、消費者の３Ｃ製品の機能に対する要求も相対的に厳しくなっている。そのため３Ｃ製品に複合機能がなければ、市場から消滅していく可能性があり、産業の利益に影響してしまう。
【０００３】
従来のデータ記録装置（例えば、フラッシュメモリなど）は撮像機能を備えておらず、データ記録の単一な機能しか提供できない。携帯式電子製品の普及のため、撮像機能も携帯可能にするニーズがあり、且つ、従来のデータ記録装置が関連の電子製品（例えば、ノートパソコン）に接続される時に、一つの接続ポートが占用されることになる。現在のパソコンは周辺装置の数が多く、接続ポート毎に適切に使用される必要があり、単一な機能しか持っていない周辺装置が一つの接続ポートを占用してしまうことになると、利用効率が低くなり、且つ他の周辺装置の使用にも影響する。これは現在の３Ｃ製品に複合機能を備えるという要求を満たさない。
【０００４】
そのため、本考案者は、前記欠点を改良するために、詳細な観察かつ研究をし、さらに学術理論の運用に合せ、やっと合理な設計で前記の欠点を有効に改良するデータ記録装置を提案した。
【考案の開示】
【考案が解決しようとする課題】
【０００５】
本考案の主な目的は、撮像及びデータ記録の機能を同時に兼備し、接続ポートの使用個数を減少させるとともに、撮像装置及びデータ記録装置のそれぞれを購入する不便が避けられる撮像機能を有するデータ記録装置を提供することである。
【課題を解決するための手段】
【０００６】
前記目的を達成するため、本考案は、一端が第一の電気コネクタを有する装置本体と、前記装置本体に設置された撮像ユニットと、前記装置本体に設置された記録ユニットとを、含む撮像機能を有するデータ記録装置を提供した。
【考案の効果】
【０００７】
本考案は、以下の効用がある。撮像及びデータ記録の組み合わせ機能を同時に兼備し、単一の接続ポートで二つの機能を同時に果すことができ、数が限られた接続ポートを効率的に使用できる。よって撮像装置及びデータ記録装置をそれぞれ購入しなければならない不便が避けられ、さらに効率的にコストをより削減し且つ収納空間を節約できる。
【０００８】
また、前記装置本体上に回動接続部材が設置され、前記回動接続部材が回転及び揺動を組み合わせた動作をすることができ、使用者が装置本体をあらゆる角度および位置に調整でき、撮像ユニットが画像を正確に取り入れることが出来る。
【考案を実施するための最良の形態】
【０００９】
以下に添付図面を参照しながら、本考案の特徴及び技術内容をより詳細に説明するが、それらの添付図面は参考及び説明のためのみに用いられ、本考案の主張範囲を狭義的に限定するものではないことは言うまでもないことである。
【００１０】
本考案は、撮像機能を有するデータ記録装置を提供しており、図１ないし図３は、本考案に係る第１の実施の形態である。これらの図面に示すように、装置本体１、撮像ユニット５、および記録ユニット６が含まれる。装置本体１は、固定ベース２、可動ベース３、及び回動接続部材４を含む。
【００１１】
図４に示すように（図１ないし図３を同時に参照）、固定ベース２の一端が第一の電気コネクタ２１を有し、該第一の電気コネクタ２１がＵＳＢインターフェースのプラグであり、第一の電気コネクタ２１が接続装置７に電気的に接続される。接続装置７は、第一の電気コネクタ２１を差込むための第四の電気コネクタ７１を有する。接続装置７は固定チャックであって、固定チャックはパソコンなどの電子製品に電気的に接続され、データ伝送作業を行う。また該固定チャックはパソコンのディスプレイの上方またはあらゆる位置に固定できる。装置本体１は固定チャックによりパソコンのディスプレイに安定的に位置決められ、撮像ユニット５は安定した状態で画像を撮り入れることが出来る。固定ベース２は一端に第一の接続部２２を有し、第一の接続部２２は回動接続部材４に枢着する。
【００１２】
可動ベース３は撮像ユニット５を内蔵し、撮像ユニット５は画像撮り作業を行うためのものである。可動ベース３は一端に第二の接続部３１を有し、第二の接続部３１は回動接続部材４に枢着する。
【００１３】
回動接続部材４はユニバーサルジョイントであってもよく、回動軸４１、第一の枢着部材４２、および第二の枢着部材４３を有する。回動軸４１は円盤状で、回動軸４１の両端の軸心には、第一の枢着部材４２および第二の枢着部材４３の一端がそれぞれ枢着している。第一の枢着部材４２および第二の枢着部材４３は、それぞれ回動軸４１の軸心回りに３６０度回転できる。第一の枢着部材４２の他端は第一の接続部２２に枢着され、固定ベース２が第一の接続部２２により第一の枢着部材４２の他端で１８０度揺動することができる。第二の枢着部材４３の他端は第二の接続部３１に枢着され、可動ベース３が第二の接続部３１により第二の枢着部材４３の他端で１８０度揺動することができる。よって、可動ベース３上の撮像ユニット５が、使用者の要求に応じてどんな角度及び位置にでも調整でき、撮像ユニット５を使用者が画像を取入れようとする物体に正確に合せることが出来る。
【００１４】
記録ユニット６は固定ベース２または可動ベース３に内蔵され、第一の電気コネクタ２１を介して固定チャックに電気的に接続され、パソコンなどの電子製品に対しデータ格納及び伝送作業を行える。
【００１５】
使用する際に、固定チャックをパソコンのディスプレイの上縁、側縁または他の適当な位置に固定し、固定ベース２上の第一の電気コネクタ２１を固定チャックの第四の電気コネクタ７１に挿着する。その上で可動ベース３上の撮像ユニット５を適当な角度及び位置まで調整し、撮像ユニット５を物体に正確に合せて画像取入作業を行い、画像取入が完了する。画像データまたは他のファイルを記録ユニット６に記憶した後に、装置本体１の第一の電気コネクタ２１を固定ベースの第四の電気コネクタ７１から抜き出し、さらに、他の電子製品と接続しデータ格納及び伝送作業を行う。
【００１６】
図５に示すように、接続装置７は無線マウス充電台座であり、無線マウス充電台座はパソコンに電気的に接続され、無線マウス充電台座上に第五電気コネクタ７２を有する。固定ベース２の第一の電気コネクタ２１は挿着方式で無線マウス充電台座の第五電気コネクタ７２に電気的に接続され、記録ユニット６内の画像およびファイルデータをパソコンなどの電子製品に伝送できる。よって、第１の実施の形態と相当の効率を十分に発揮できる。
【００１７】
図６に示すように、本考案の装置本体１は、さらに、ノートパソコンなどの携帯式電子装置に直接的に接続できる。
【００１８】
図７は、本考案に係る第２の実施の形態であり、可動ベース３は第一の可動部材３２及び第二の可動部材３３を有する。第一の可動部材３２は第二の電気コネクタ３２１を有し、該第二の電気コネクタ３２１はＵＳＢインターフェースのプラグである。第二の可動部材３３は第三の電気コネクタ３３１を有し、第三の電気コネクタ３３１はＵＳＢインターフェースの接続ポートである。第二の電気コネクタ３２１および第三の電気コネクタ３３１は、互いに対応して設置されるとともに挿着方式で電気的に接続される。記録ユニット６は可動ベース３、第一の可動部材３２または第二の可動部材３３に内蔵できる。撮像ユニット５が撮った画像及び記録ユニット６が記憶したデータは、接続装置７に電気的に接続された第三の電気コネクタ３３１、第二の電気コネクタ３２１および第一の電気コネクタ２１を経て、ノートパソコンまたは他の電子製品に伝送される。
【００１９】
図８は、本考案に係る第３の実施の形態であり、該第二の電気コネクタ３２１はＵＳＢインターフェースの接続ポートで、該第三の電気コネクタ３３１はＵＳＢインターフェースのプラグであってもよい。
【００２０】
第一の電気コネクタ２１、第二の電気コネクタ３２１、第三の電気コネクタ３３１、第四の電気コネクタ７１および第五の電気コネクタ７２は、ＵＳＢインターフェースまたはＩＥＥＥ１３９４インターフェースであっても良い。
【００２１】
こうすることで、使用する際に、プラグ及び接続ポートの２形式から選んで電子製品と電気的に接続でき、コネクタ同士が対応接続できなくなることを避ける。
【００２２】
図９ないし図１２は、本考案に係る第４の実施の形態であり、該装置本体１は単一部材の設計を採用してもよい。撮像ユニット５および記録ユニット６が装置本体１に直接的に内蔵され、装置本体１の一端には第一の電気コネクタ２１が設けられる。第一の電気コネクタ２１はＵＳＢインターフェースのプラグまたは接続ポートであり、接続装置７に電気的に接続され、接続装置７は固定チャックまたはマウス充電台座である。第一の電気コネクタ２１は固定チャックの第四の電気コネクタ７１及びマウス充電台座の第五の電気コネクタ７２に挿着でき、ノートパソコンなどの電子製品と接続し、データ格納および伝送作業を行う。
【００２３】
本考案は以下の利点を備えている。撮像及びデータ記録の複合機能を同時に兼備し、ノートパソコンなどの電子製品の単一な接続ポートで二つの機能を同時に果すことができる。更に数が限られた接続ポートを効率的に使用でき、撮像装置及びデータ記録装置をそれぞれ購入しなければならない不便が避けられ、効率的にコストを削減し且つ収納空間を節約できる。
【００２４】
また、装置本体１上に回動接続部材４が設置されることで、回動接続部材４が回転及び揺動を組み合わせて動作することができ、使用者が装置本体１をどんな角度および位置にでも調整でき、撮像ユニット５が画像を正確に取り入れることが出来る。
【００２５】
以上の説明は、単に本考案の好ましい具体的な実施の形態に過ぎず、本考案の実用新案登録請求の範囲を限定するものではない。いずれの当該分野における通常の知識を有する当業者が本考案の分野の中で、適当に変更や修飾などを実施できるが、それらの変更や修飾についても本考案の請求範囲内に納入されるべきことは言うまでもない。
【図面の簡単な説明】
【００２６】
【図１】本考案に係る第１の実施の形態の構造を示す図である。
【図２】本考案に係る第１の実施の形態の動作を示す図（一）である。
【図３】本考案に係る第１の実施の形態の動作を示す図（二）である。
【図４】本考案に係る第１の実施の形態の使用状態図（一）である。
【図５】本考案に係る第１の実施の形態の使用状態図（二）である。
【図６】本考案に係る第１の実施の形態の使用状態図（三）である。
【図７】本考案に係る第二の実施の形態の構造を示す図である。
【図８】本考案に係る第３の実施の形態の構造を示す図である。
【図９】本考案に係る第４の実施の形態の使用状態図（一）である。
【図１０】本考案に係る第４の実施の形態の使用状態図（二）である。
【図１１】本考案に係る第４の実施の形態の使用状態図（三）である。
【図１２】本考案に係る第４の実施の形態の使用状態図（四）である。
【符号の説明】
【００２７】
１  装置本体
２  固定ベース
３  可動ベース
４  回動接続部材
５  撮像ユニット
６  記録ユニット
７  接続装置
２１  第一の電気コネクタ
２２  第一の接続部
３１  第二の接続部
３２  第一の可動部材
３３  第二の可動部材
４１  回動軸
４２  第一の枢着部材
４３  第二の枢着部材
７１  第四の電気コネクタ
７２  第五の電気コネクタ
３２１  第二の電気コネクタ
３３１  第三の電気コネクタ
【図１】
0003131267.tif 000003
【図２】
0003131267.tif 000004
【図３】
0003131267.tif 000005
【図４】
0003131267.tif 000006
【図５】
0003131267.tif 000007
【図６】
0003131267.tif 000008
【図７】
0003131267.tif 000009
【図８】
0003131267.tif 000010
【図９】
0003131267.tif 000011
【図１０】
0003131267.tif 000012
【図１１】
0003131267.tif 000013
【図１２】
0003131267.tif 000014